(57)【要約】【課題】遮断器を投入および遮断させたときの電気量を計測できる保護リレーを提供する。【解決手段】主回路の電気量を検出するアナログ検出回路３と、アナログ検出回路３に接続されたＡ／Ｄ変換回路４と、Ａ／Ｄ変換回路４に接続されるとともに、保護動作を実行する中央処理装置５と、中央処理装置５に接続されたメモリ１１と、中央処理装置５に接続されるとともに、主回路に接続された遮断器１の動作信号を入力する計測条件制御回路１２とを備え、中央処理装置５は、計測条件制御回路１２から信号を受け、遮断器１の投入時および遮断時の電気量を計測することを特徴とする。【選択図】  図１
2012050306.tif 000002
【特許請求の範囲】
【請求項１】
主回路の電気量を検出するアナログ検出回路と、
前記アナログ検出回路に接続されたＡ／Ｄ変換回路と、
前記Ａ／Ｄ変換回路に接続されるとともに、保護動作を実行する中央処理装置と、
前記中央処理装置に接続されたメモリと、
前記中央処理装置に接続されるとともに、前記主回路に接続された遮断器の動作信号を入力する計測条件制御回路とを備え、
前記中央処理装置は、前記計測条件制御回路から信号を受け、前記遮断器の投入時および遮断時の電気量を計測することを特徴とする保護リレー。
【請求項２】
前記電気量は、突入電流であることを特徴とする請求項１に記載の保護リレー。
【請求項３】
前記電気量は、逆起電圧であることを特徴とする請求項１に記載の保護リレー。
【請求項４】
前記電気量をサンプリングする時間間隔を、前記遮断器の投入直後よりも投入後半の方を短くしたことを特徴とする請求項１乃至請求項３のいずれか１項に記載の保護リレー。
【発明の詳細な説明】
【技術分野】
【０００１】
本発明の実施形態は、受配電システムにおける保護リレーに関する。
【背景技術】
【０００２】
従来、スイッチギヤのような受配電設備には、主回路を保護するために保護リレーが用いられている。保護リレーでは、主回路に過電流が流れると、遮断器を動作させ、回路を切離すようになっている（例えば、特許文献１参照。）。
【０００３】
この場合、図４に示すように、保護リレーでは、主回路の電流が保護整定値を越え、所定時間を経過すると、時間ｔｘに遮断指令を発する。遮断動作と同時に、電流、電圧などの電気量を計測し、内蔵しているメモリに保存する。計測データは、過電流の解析などに用いられる。
【先行技術文献】
【特許文献】
【０００４】
【特許文献１】特開２００８−４３１４５号公報
【発明の概要】
【発明が解決しようとする課題】
【０００５】
上記の従来の保護リレーにおいては、遮断時の電流、電圧などの電気量の計測データをメモリから取り出すことができるものの、遮断器を投入したときのデータを得ることができなかった。投入時においては、過大な突入電流や逆起電圧を発生することがあり、主回路に影響を与えることがある。このため、遮断器を投入させたときの電気量も計測できる保護リレーが望まれていた。
【０００６】
本発明は上記問題を解決するためになされたもので、遮断器を投入および遮断させたときの電気量を計測できる保護リレーを提供することを目的とする。
【課題を解決するための手段】
【０００７】
上記目的を達成するために、実施形態の保護リレーは、主回路の電気量を検出するアナログ検出回路と、前記アナログ検出回路に接続されたＡ／Ｄ変換回路と、前記Ａ／Ｄ変換回路に接続されるとともに、保護動作を実行する中央処理装置と、前記中央処理装置に接続されたメモリと、前記中央処理装置に接続されるとともに、前記主回路に接続された遮断器の動作信号を入力する計測条件制御回路とを備え、前記中央処理装置は、前記計測条件制御回路から信号を受け、前記遮断器の投入時および遮断時の電気量を計測することを特徴とする。
【図面の簡単な説明】
【０００８】
【図１】本発明の実施例１に係る保護リレーの回路構成を示す図。
【図２】本発明の実施例１に係る保護リレーの電気量の計測方法を説明する図。
【図３】本発明の実施例２に係る保護リレーの電気量の計測方法を説明する図。
【図４】従来の保護リレーの電気量の計測方法を説明する図。
【発明を実施するための形態】
【０００９】
以下、図面を参照して本発明の実施例を説明する。
【実施例１】
【００１０】
先ず、本発明の実施例１に係る保護リレーを図１、図２を参照して説明する。図１は、本発明の実施例１に係る保護リレーの回路構成を示す図、図２は、本発明の実施例１に係る保護リレーの電気量の計測方法を説明する図である。
【００１１】
図１に示すように、受配電設備の主回路には、遮断器１と変流器２が接続されている。変流器２の出力には、保護リレーを構成する主回路の電流を検出するアナログ検出回路３、電流値をアナログ値からデジタル値に変換するＡ／Ｄ変換回路４、計測された電流を処理し保護動作を実行する中央処理装置５が接続されている。
【００１２】
中央処理装置５には、電流値などを表示する表示器６、保護する電流値の整定や変更などを行う操作スイッチ７が接続されている。また、遮断器１を投入する投入出力接点８、遮断するトリップ出力接点９、異常を外部に出力する警報出力接点１０を動作させるようになっている。更に、各種計測データなどを呼び出し保存するメモリ１１、遮断器１の動作信号に合わせて電流や電圧などの電気量の計測条件を制御する計測条件制御回路１２が接続されている。
【００１３】
次に、動作について図２を参照して説明する。
【００１４】
図２に示すように、遮断器１を時間ｔ１に投入すると、計測条件制御回路１２でその信号を受け、通電電流を数〜数１０秒間の所定の時間ｔ２まで計測する。サンプリング時間は、数１００μｓ〜数ｍｓの所定間隔である。この信号は、投入出力接点８の出力とともに、外部で遮断器１を制御したものを含み、遮断器１を投入する信号を監視し得られるものである。
【００１５】
これにより、通常の通電電流よりも過大となる突入電流を計測することができ、計測データはメモリ１１に保存される。なお、主回路に変成器を接続して電圧計測を行えば、逆起電圧などの過電圧を計測することができる。また、表示器６に、今回の電流値と前回の電流値のなど所定事項を表示することができる。
【００１６】
そして、主回路の電流が保護整定値を時間ｔ３に越えると、計測条件制御回路１２でその信号を受け、過電流の計測を開始する。計測は、遮断器１が電流遮断を行うまでの所定の時間ｔ４まで継続される。電流値などは、メモリ１１に保存される。メモリ１１に保存された計測データは、図示しない通信回路で中央監視室などの外部に伝送することができる。
【００１７】
なお、主回路の電流が保護整定値を越えず、通常の遮断をする場合、遮断した時点から所定の時間、電流計側を行う。また、電流が保護整定値を越えたときにおいて、従来と同様に、遮断した時点から電流計側を行ってもよい。
【００１８】
上記実施例１の保護リレーによれば、遮断器１を投入および遮断させたとき、所定の時間において電気量を計測するようにしているので、突入電流、逆起電圧、過電流などを計測保存することができる。これらの計測データは、負荷に対する影響調査、その対策などに用いることができる。
【実施例２】
【００１９】
次に、本発明の実施例２に係る保護リレーを図３を参照して説明する。図３は、本発明の実施例２に係る保護リレーの電気量の計測方法を説明する図である。なお、この実施例２が実施例１と異なる点は、電流計側のサンプリング方法である。
【００２０】
図３に示すように、遮断器１を投入した時間ｔ１から所定の時間ｔ２までは実施例１と同様に電流計側を行うが、突入電流が収束する時間ｔ１４以降はサンプリングする時間間隔を短くしている。即ち、突入電流が現れる時間ｔ１〜ｔ１１〜ｔ１４までは、実施例１と同様であるが、サージが現れる時間ｔ１４〜ｔ２０〜ｔ２までは、サンプリングする時間間隔を数１００μｓ以下にしている。時間間隔の変更は、負荷の耐サージ性を考慮し、計測条件制御回路１２にて設定する。
【００２１】
ここで、突入電流が現れる領域を遮断器１の投入直後、サージ性過電流が現れる領域を投入後半と定義する。
【００２２】
これにより、モータなどのリアクトル負荷で起こり易いサージ性の電気量のピーク値を精度よく計測することができる。また、メモリ１１の容量を適正なものにすることができ、長時間の記録保存をすることができる。
【００２３】
上記実施例２の保護リレーによれば、実施例１による効果のほかに、遮断器１投入時の突入電流とともに、サージ性の電気量を計測することができる。
【００２４】
以上述べたような実施形態によれば、遮断器投入時の突入電流や逆起電圧などの電気量、および遮断時の電気量を計測することができ、主回路に与える影響を調査解析することができるようになる。
【００２５】
以上において幾つかの実施形態を述べたが、これらの実施形態は、単に例として示したもので、本発明の範囲を限定することを意図したものではない。実際、ここにおいて述べた新規な回路は、種々の他の形態に具体化されてもよいし、さらに、本発明の主旨またはスピリットから逸脱することなく、ここにおいて述べた回路の形態における種々の省略、置き換えおよび変更を行ってもよい。付随する請求項およびそれらの均等物は、本発明の範囲および主旨またはスピリットに入るようにそのような形態若しくは変形を含むことを意図している。
【符号の説明】
【００２６】
１  遮断器
２  変流器
３  アナログ検出回路
４  Ａ／Ｄ変換回路
５  中央処理装置
６  表示器
７  操作スイッチ
８  投入出力接点
９  トリップ出力接点
１０  警報出力接点
１１  メモリ
１２  計測条件制御回路
【図１】
2012050306.tif 000003
【図２】
2012050306.tif 000004
【図３】
2012050306.tif 000005
【図４】
2012050306.tif 000006